(57)【要約】 【課題】浴槽及び洗い場への洗浄水の吐出など、同時にできない動作を除き、浴槽の排水と洗い場の洗浄のように、同時に進行可能な動作は極力同時に進行させることにより、浴槽と洗い場の洗浄時間を短縮し、しかも十分な洗浄を行わせる洗浄装置を実現する。【解決手段】浴槽洗浄動作の前に浴槽の排水動作を行い、浴槽の排水動作中に、洗い場洗浄動作を開始し、浴槽の排水動作中の、洗い場洗浄動作において、洗剤の散布動作を行った後、所定時間待機動作を行い、洗い場洗浄動作中に、浴槽洗浄動作を開始し、浴槽洗浄動作において、洗剤の散布動作を行った後、所定時間待機動作を行い、この待機動作中に、洗い場洗浄動作のすすぎ動作を行う。【選択図】図２
2010119530.tif 000002
【特許請求の範囲】
【請求項１】
浴槽と洗い場の洗浄動作を切り替えて、浴槽と洗い場を洗浄する洗浄装置であって、浴槽洗浄動作の前に浴槽の排水動作を行い、浴槽の排水動作中に、洗い場洗浄動作を開始することを特徴とする洗浄装置。
【請求項２】
請求項１に記載の洗浄装置であって、浴槽の排水動作中の、洗い場洗浄動作において、洗剤の散布動作を行った後、所定時間待機動作を行うことを特徴とする洗浄装置。
【請求項３】
請求項 １または２に記載の洗浄装置であって、洗い場洗浄動作中に、浴槽洗浄動作を開始することを特徴とする洗浄装置。
【請求項４】
請求項３に記載の洗浄装置であって、洗い場洗浄動作中の、浴槽洗浄動作において、洗剤の散布動作を行った後、所定時間待機動作を行い、この待機動作中に、洗い場洗浄動作のすすぎ動作を行うことを特徴とする洗浄装置。
【発明の詳細な説明】
【技術分野】
【０００１】
本発明は、洗浄装置に関し、特に、浴槽及び洗い場を洗浄する洗浄装置であって、浴槽の排水動作時に洗い場洗浄を同時に進行させるように、浴槽と洗い場の洗浄を切り替え可能な洗浄装置に関する。
【背景技術】
【０００２】
従来、浴槽と洗い場を洗浄する洗浄装置が知られている。例えば、浴槽と洗い場に散水する散水手段と、浴槽洗い場に洗剤を噴霧する洗剤噴霧手段とからなる洗浄装置を浴室壁面に設け、浴室内を換気する換気手段とを有し、散水手段と洗剤噴霧手段とで浴室がきれいに洗浄され、さらに、換気手段により洗浄後の浴室内の乾燥することで、浴室内をある程度乾燥した状態で洗浄を終了する構成が知られている（特許文献１参照）。
【０００３】
また、浴室洗浄装置において、洗剤噴出後、汚れの成分が分解する時間放置するものが知られている（特許文献２参照）。
【０００４】
【特許文献１】特開平１０−２１６０６８号公報
【特許文献２】特開平９−３１４０８２号公報
【発明の開示】
【発明が解決しようとする課題】
【０００５】
浴槽に湯が満たされた状態の浴槽と洗い場を洗浄するには、浴槽の排水、浴槽の洗浄及び洗い場の洗浄という３つのステップが必要である。従来は、浴槽を排水してから浴槽又は洗い場の洗浄を行う構成としていた。しかし、このような構成とすると、３つのステップを加算した時間が必要である。
【０００６】
本発明は、浴槽及び洗い場の洗浄において、浴槽及び洗い場への洗浄水の吐出など、同時にできないことを除き、浴槽の排水と洗い場の洗浄のように、同時に進行可能な作業は極力同時に進行させることにより、浴槽と洗い場の洗浄時間を短縮し、しかも十分な洗浄を行わせる洗浄装置を実現することである。
【課題を解決するための手段】
【０００７】
本発明は上記課題を解決するために、浴槽と洗い場の洗浄動作を切り替えて、浴槽と洗い場を洗浄する洗浄装置であって、浴槽洗浄動作の前に浴槽の排水動作を行い、浴槽の排水動作中に、洗い場洗浄動作を開始することを特徴とする洗浄装置を提供する。
【０００８】
浴槽の排水動作中の、洗い場洗浄動作において、洗剤の散布動作を行った後、所定時間待機動作を行う構成とすることが好ましい。
【０００９】
洗い場洗浄動作中に、浴槽洗浄動作を開始する構成とすることが好ましい。
【００１０】
洗い場洗浄動作中の、浴槽洗浄動作において、洗剤の散布動作を行った後、所定時間待機動作を行い、この待機動作中に、洗い場洗浄動作のすすぎ動作を行う構成とすることが好ましい。
【発明の効果】
【００１１】
本発明の洗浄装置によれば、浴槽及び洗い場の洗浄において、浴槽及び洗い場に洗剤を散布した後で反応時間待機動作を設けたり、また洗浄水を吐出したりするように、同時にできないことを除き、同時進行可能な作業は極力同時に進行させる構成とし、浴槽と洗い場の十分な洗浄を可能とするとともに、洗浄時間を短縮可能とすることができる。
【発明を実施するための最良の形態】
【００１２】
本発明の洗浄装置を実施するための最良の形態を実施例に基づき図面を参照して、以下説明する。
【実施例】
【００１３】
（全体構成）
図１は、本発明の洗浄装置の実施例１を説明する図であり、浴槽及び洗い場の洗浄のために洗浄水を供給する配管、浴槽の排水栓及び制御装置等を含め、本発明の洗浄装置の前提となる全体構成を説明するブロック図である。図１に示すように、本発明の洗浄装置１は、浴槽７を洗浄する浴槽洗浄ノズル２と、洗い場を洗浄する洗い場洗浄ノズル３とを備えている。
【００１４】
また、本発明の洗浄装置１は、浴槽洗浄ノズル２と洗い場洗浄ノズル３に洗浄水を供給するために、温水の供給動作等を行う洗浄ユニット５と、洗浄ユニット５に洗剤を供給する洗剤供給部である洗剤タンク４と、洗浄ユニット５に温水を供給する温水供給源である給湯器６を備えている。
【００１５】
給湯器６は、水を加熱し温水として供給する装置であり、通常は、浴槽７、水栓８、台所等に給湯する給湯器が使用される。この給湯器６には、水道管９から水道水が供給され、また追い焚き用の配管１０を通して浴槽７からの温水も供給され、加熱されて浴槽用供給管１１から浴槽７に温水が供給される。給湯器６は、台所リモコン１２及び浴室リモコン１３等の操作によって制御され、洗浄ユニット５は洗浄リモコン１４によって制御される。
【００１６】
給湯器６から温水供給管１５を通して洗浄ユニット５及び水栓８に温水を供給する。浴槽洗浄ノズル２及び洗い場洗浄ノズル３は、それぞれ浴槽７の内面及び洗い場１６の床面等に向けて洗浄水を噴射するノズルであり、浴槽用洗浄配管１７及び洗い場用洗浄配管１８から、三方弁１９を介して、洗浄水供給管２０、洗浄ユニット５のベンチュリ２１に接続されている。洗浄ユニット５は、ケース内に次に説明するような各機器がユニット化して設けられている。
【００１７】
洗浄ユニット５は、水通路部２２を有しており、この水通路部２２に、順次、フィルタ２３、水量サーボ弁２４、流量センサ２５、注湯電磁弁２６、逆止弁２７、２つの縁切り弁２８、逆止弁２９及びベンチュリ２１が配置されている。さらに、洗浄ユニット５は、ベンチュリ２１に連通する洗剤電磁弁３０を備えている。
【００１８】
水通路部２２に設けられた各機器は、それぞれ制御装置３１に接続されて、制御装置３１によって制御される。制御装置３１からの洗浄開始信号が注湯電磁弁２６に送られると注湯電磁弁２６が開き、給湯器６から温水供給管１５を通して、洗浄ユニット５内に温水が送られる。洗浄ユニット５のフィルタ２３は、給湯器６から出湯された温水を受けてろ過し、流量センサ２５が温水の流量を計量して計量信号を制御装置３１に送信する。
【００１９】
制御装置３１は、その計量値を水量サーボ弁２４に送信し、水量サーボ弁２４はその計量値に応じて適宜、その弁の開閉度合いを制御し、浴槽洗浄ノズル２及び洗い場洗浄ノズル３がそれぞれ噴射するに適した流量となるように制御する。２つの逆止弁２７、２９は洗浄水の逆流を防止し、縁切り弁２８は、負圧発生時に逆止弁２９で止水された洗浄水を水通路部２２から洗浄ユニット５外に排水管を通して排出する。
【００２０】
洗剤タンク４は、洗剤液を入れるタンクであり、洗剤液の充填状態は、フロートスイッチ４０で検知されており、充填量が少なくなったらその検知信号を制御装置３１に送信し、制御装置３１で洗剤切れ信号を発生するように構成されている。浴槽７の底部には、排水栓３２が設けられており、この排水栓３２は自動排水栓装置３３（例．電磁的に排水栓を開閉する装置）により自動的に開閉動作を可能とする。
【００２１】
制御装置３１は、三方弁１９を制御することにより、洗浄水を、浴槽洗浄ノズル２又は洗い場洗浄ノズル３へ供給するように切り替えることができる。浴槽７の洗浄及び洗い場１６の洗浄時には、注湯電磁弁２６が開閉し洗浄水である温水を、浴槽洗浄ノズル２及び洗い場洗浄ノズル３に、それぞれ供給する。
【００２２】
そして、制御装置３１は、注湯電磁弁２６が開いている間、後記する図２に示すタイミングチャートで示す洗い場洗剤散布及び浴槽洗剤散布の動作期間中には、洗剤電磁弁３０を開くように制御し、洗剤液を洗剤供給管４１を通してベンチュリ２１に供給する。ベンチュリ２１に供給された洗剤液は、ベンチュリ２１を通過する温水に混入される。これによって、洗剤入りの洗浄水が調製されて浴槽洗浄ノズル２及び洗い場洗浄ノズル３に供給される。
【００２３】
制御装置３１は、洗浄リモコン１４で操作されるが、この操作に応じて、制御装置３１は、浴槽７の排水及び洗浄動作、洗い場１６の洗浄動作等を、後記する図２のタイムチャートに示すようなシーケンスステップで行うように制御する。
【００２４】
本発明の洗浄装置１の洗浄水の供給及び排水を中心とした全体構成は、以上のとおりであるが、本発明の制御装置３１の特徴的構成を以下さらに、図２及び図３において説明する。
【００２５】
本発明の洗浄装置１は、浴槽７の排水及び洗浄動作と洗い場１６の洗浄動作を、互いに時間的に関係づけて行い、なるべく短時間にそれぞれの洗浄動作を完了できるようにするものであり、注湯電磁弁２６の開閉、三方弁１９の切り替え、及び洗剤電磁弁３０の開閉等のタイミングを、制御装置３１により自動的に制御する構成を特徴とする。
【００２６】
制御装置３１として、具体的には、図３に示すように、信号入力部３４、ＣＰＵ３５、記憶部３６、タイマ３７及び信号出力部３８等を備え、これらが互いにデータバス３９で接続されているマイコンが利用される。
【００２７】
信号入力部３４は、流量センサ２５、フロートスイッチ４０、洗浄リモコン１４等に信号線を介して接続され、信号出力部３８は、水量サーボ弁２４、注湯電磁弁２６、洗剤電磁弁３０、自動排水栓装置３３、及び三方弁１９等に接続されている。
【００２８】
制御装置３１に搭載されている洗浄用のソフトにより、制御装置３１は、ＣＰＵ３５、タイマ３７等が動作し、注湯電磁弁２６の開閉、三方弁１９の切り替え、及び洗剤電磁弁３０の開閉等を、図２に示すタイムチャートに示すようなシーケンスステップで自動的に制御して浴槽７の排水及び洗浄動作を行う。
【００２９】
本発明の洗浄装置１において、その排水、洗浄動作について特徴とする基本的な構成及び機能は次のとおりである。
（１）浴槽洗浄前に浴槽７の排水動作を行い、この排水動作中（具体的には排水開始直後）に、洗い場洗浄を開始する構成とした。
（２）浴槽７及び洗い場１６のそれぞれの洗浄のために使用する洗剤が、その散布毎にその後、その効果が生じるように、所定時間の反応時間待機動作のステップを設け、これら全ての反応時間待機動作が完了してから洗浄水をすすぐ構成とした。
（３）浴槽７の排水動作が完了してから、洗い場１６の洗浄動作期間のうち反応時間待機動作中に、浴槽７の洗浄動作（初期すすぎ動作）を行う構成とした。
（４）洗浄水の浴槽７及び洗い場１６への吐出は同時には行わない。その理由は、洗浄水は、共通の洗浄水供給管２０から、三方弁１９で切り替えられて浴槽洗浄ノズル２、洗い場洗浄ノズル３へ供給されるからである。
【００３０】
本発明の洗浄装置１では、洗浄用のソフトに従い制御装置３１によって、排水及び洗浄動作を制御するが、そのシーケンスステップを以下、図２に示すタイミングチャートによって説明する。
【００３１】
まず、洗浄リモコン１４のリモコンスイッチ（リモコンＳＷ）をオンすることにより（図２（ア））、以下の一連の排水及び洗浄動作を開始する。まず、時間ｔ１〜ｔ２の間、浴槽の排水栓３２を開き浴槽７内の水の排水を行う（図２（イ））。
【００３２】
排水栓３２が開き排水を開始したｔ１以降の時間ｔ３〜ｔ４に、洗い場１６の初期すすぎが行われる（図２（ウ））。そして、ｔ４以降の時間ｔ５〜ｔ６に１回目の洗い場洗剤散布（図２（エ））が行われ、引き続き時間Ｔ１の間、反応時間待機動作が行われる。Ｔ１時間の反応時間待機動作は、洗い場１６の床に散布された洗剤の効果を生じさせるために必要な動作である。
【００３３】
このような洗い場洗剤散布とそれに続く反応時間待機動作が、複数回繰り返される。本実施例では、合計３回行われる。即ち、時間ｔ７〜ｔ８に２回目の洗い場洗剤散布（図２（オ））と引き続き時間Ｔ１の反応時間待機動作が行われ、時間ｔ９〜ｔ１０に３回目の洗い場洗剤散布（図２（カ））と引き続き時間Ｔ１の反応時間待機動作が行われ、ｔ１１に完了する。その完了後、時間ｔ１２〜ｔ１３に洗い場１６の本すすぎ（図２（キ））が行われ、洗い場の洗浄動作が終了する。
【００３４】
ところで、浴槽７の排水が完了した時ｔ２以降に、浴槽ノズル３から洗剤を散布したり洗浄水を吐出して浴槽７の洗浄を行うのであるが、この浴槽７の洗浄は、洗い場１６のすすぎや洗剤の散布と同じ時間にはできないので、重ならないように行う。本実施例では、浴槽７の排水が完了した時ｔ２以降であって、２回目の洗い場洗剤散布（図２（オ））の直後の時間Ｔ１の反応時間待機動作中に、時間ｔ１４〜ｔ１５において、浴槽７の初期すすぎ（図２（ク））を行う。
【００３５】
そして、浴槽７の初期すすぎが終了し、３回目の洗い場洗浄散布（図２（カ））が終了しその後の反応時間待機動作に入ったら、時間ｔ１６〜ｔ１７に１回目の浴槽洗浄散布（図２（ケ））を行い、引き続き反応時間待機動作を行う。この反応時間待機動作は、洗い場１６の本すすぎ（図２（キ））が終了するｔ１３の直後のｔ１８まで時間Ｔ２に行われる。
【００３６】
この反応時間待機動作が終了した時ｔ１８から、引き続き、２回目の浴槽洗浄散布（図２（コ））と時間Ｔ１の反応時間待機動作、さらに３回目の浴槽洗浄散布（図２（サ））とＴ１時間の反応時間待機動作を行い、ｔ１９に完了する。その完了後、時間ｔ２０〜ｔ２１に浴槽１６の本すすぎ（図２（シ））が行われ、浴槽７の洗浄動作が終了する。
【００３７】
以上のように、本発明の洗浄装置１では、浴槽７の排水動作が開始したらその完了を待つことなく、その開始直後に洗い場の洗浄動作（初期すすぎ、洗剤散布、本すすぎ）を開始するような構成としたので、浴槽７の排水及び洗浄と、洗い場１６の洗浄の全体的な所要時間を短縮することができる。
【００３８】
そして、浴槽７及び洗い場１６の洗浄の際に、各回の洗剤散布に引き続き反応時間待機動作をするようにしたので、散布された洗剤の洗浄効果が十分生じ、さらにその後洗浄水をすすぐことで、十分な洗浄が可能となる。
【００３９】
以上、本発明に係る洗浄装置を実施するための最良の形態を実施例に基づいて説明したが、本発明はこのような実施例に限定されるものではなく、特許請求の範囲に記載された技術的事項の範囲内でいろいろな実施例があることは言うまでもない。
【図面の簡単な説明】
【００４０】
【図１】本発明に係る洗浄装置の実施例における洗浄水の供給のための洗浄ユニット及び配管を含む全体構成を説明するブロック図である。
【図２】本発明に係る洗浄装置の実施例の構成及びその動作のシーケンスステップを説明するためのタイムチャートである。
【図３】本発明に係る洗浄装置の実施例の制御装置の構成を説明する図である。
【符号の説明】
【００４１】
１  洗浄装置
２  浴槽洗浄ノズル
３  洗い場洗浄ノズル                                     
４  洗剤タンク（洗剤供給部）                                   
５  洗浄ユニット                                     
６  給湯器（温水供給源）                                       
７  浴槽                                             
８  水栓                                             
９  水道管                                           
１０  追い焚き用の配管                                 
１１  浴槽用供給管                                     
１２  台所リモコン                                   
１３  浴室リモコン                                   
１４  洗浄リモコン                                   
１５  温水供給管
１６  洗い場
１７  浴槽洗浄用配管
１８  洗い場洗浄用配管
１９  三方弁                      
２０  洗浄水供給管                                     
２１  ベンチュリ                                      
２２  洗浄ユニットの水通路部                          
２３  フィルタ                                        
２４  水量サーボ弁                                     
２５  流量センサ                                      
２６  注湯電磁弁                                      
２７、２９  逆止弁                                     
２８  縁切り弁
３０  洗剤電磁弁
３１  制御装置                                       
３２  排水栓
３３  自動排水栓装置
３４  信号入力部
３５  ＣＰＵ
３６  記憶部
３７  タイマ
３８  信号出力部
３９  データバス
４０  フロートスイッチ 
４１  洗剤供給管
【図１】
2010119530.tif 000003
【図２】
2010119530.tif 000004
【図３】
2010119530.tif 000005